(57)【要約】      （修正有）【課題】同時に２台の充電と収納を行う片式筋肉神経電気刺激器の充電装置を提供する。【解決手段】本体１０と充電モジュール２０とを備え、本体１０は、片体状を呈し、相対応の頂面１１と底面１２とを有し、頂面１１と底面１２は、それぞれ２つの片式筋肉神経電気刺激器３１、３２を貼り付けるために供され、充電モジュール２０は、本体１０の一端上に設けられ、その外側に外部ポートの給電プラグに接続するための接続ポート２１が設けられ、充電モジュール２０の上下両面にそれぞれ１組の電気接続ピン２２が設けられ、２組の電気接続ピン２２の前端がそれぞれ本体１０の頂面１１及び底面１２から突出することにより、２つの片式筋肉神経電気刺激器３１、３２がそれぞれ本体１０の頂面１１及び底面１２に貼り付けられる時、２つの片式筋肉神経電気刺激器３１、３２の充電口３２１をそれぞれ２組の電気接続ピン２２に電気接続する。【選択図】図３
0003219138.tif 000002
【実用新案登録請求の範囲】
【請求項１】
片体状を呈し、頂面と底面とを有する本体と、前記本体の一端上に設けられる充電モジュールとを備える片式筋肉神経電気刺激器の充電装置であって、
前記頂面及び前記底面は、それぞれ２つの片式筋肉神経電気刺激器を貼り付けるために供され、
前記充電モジュールの外側に外部ポートの給電プラグに接続するための接続ポートが設けられ、前記充電モジュールの上下にそれぞれ１組の電気接続ピンが設けられ、前記２組の電気接続ピンの前端がそれぞれ前記本体の前記頂面及び前記底面から突出することにより、前記２つの片式筋肉神経電気刺激器がそれぞれ前記本体の前記頂面及び前記底面に貼り付けられる時、前記２つの片式筋肉神経電気刺激器の充電口をそれぞれ前記２組の電気接続ピンに電気接続することで、前記充電モジュールは、給電プラグからの電力を充電電力に変換して、同時に２台の片式筋肉神経電気刺激器に対して充電を行うことを特徴とする、片式筋肉神経電気刺激器の充電装置。
【請求項２】
前記本体は、上本体と下本体とを上下に組み合わせてなる中空片状体であり、また、前記本体の外観が蝶の形状であることを特徴とする、請求項１に記載の片式筋肉神経電気刺激器の充電装置。
【請求項３】
前記接続ポートには差込口が設けられ、前記差込口は前記本体外に露呈突出していることを特徴とする、請求項１に記載の片式筋肉神経電気刺激器の充電装置。
【請求項４】
前記充電モジュールの前記接続ポートがＵＳＢコネクタであり、また、前記給電プラグがＵＳＢプラグであることを特徴とする、請求項１に記載の片式筋肉神経電気刺激器の充電装置。
【考案の詳細な説明】
【技術分野】
【０００１】
本考案は、電気刺激器の充電装置に係り、特に、同時に２台の片式筋肉神経電気刺激器に対して充電と収納を行うことが可能な装置に関するものである。
【背景技術】
【０００２】
従来、電気筋肉刺激装置（ＥＭＳ，Ｅｌｅｃｔｒｉｃａｌ  Ｍｕｓｃｌｅ  Ｓｔｉｍｕｌａｔｉｏｎ）や痛みを緩和するための経皮的神経電気刺激器（ＴＥＮＳ，Ｔｒａｎｓｃｕｔａｎｅｏｕｓ  ｅｌｅｃｔｒｉｃａｌ  ｎｅｒｖｅ  ｓｔｉｍｕｌａｔｏｒ）は、電流刺激方式を利用して大脳から人体の筋肉や神経に対して出す指令を飛ばしてこれらを収縮させるようにすれば、筋力を鍛えたり、痛みを緩和したりする作用効果を得ることができる。また、１つの片式筋肉神経電気刺激器を持ち歩く際、いつでも取り出せて筋力トレーニング及び筋持久力トレーニングを行うことができ、有酸素運動で脂肪分解燃焼及びシェイプアップを行う目的を達成するか、あるいは、筋肉痛時の痛みを緩和する装置とすることができる。
【０００３】
次に、一般的従来の片式筋肉神経電気刺激器は、充電が必要な時、図１に示すような充電構造を用いることがあり、それには収容片体５１が設けられ、その材質が紙板材またはプラスチック板材であり、前記収容片体５１の頂面及び底面は、２つの片式筋肉神経電気刺激器５２，５３を貼り付けるために供され、充電を行うとき、前記２つの片式筋肉神経電気刺激器５２，５３の充電口５２１，５３１にそれぞれ給電用ＵＳＢプラグ５４，５５が挿入され、前記２つのＵＳＢプラグ５４，５５からの給電を利用して充電を行う。
【０００４】
ただ、前記従来の片式筋肉神経電気刺激器の充電構造では、同時に２個のＵＳＢプラグ５４，５５を有する外部ポートの給電システムを使用しなければ、充電を行うことができず、このように、コストが比較的に高くなり、かつ使用に際しては非常に不便であった。
【０００５】
これらのことから分かるように、上記の常用物品は、依然として多くの不具合がもたらされ、実に完善な設計とは言えないもので、改良を極力試みるべきである。
【考案の概要】
【考案が解決しようとする課題】
【０００６】
これに鑑み、本案の考案者は、長年に亘って従事してきた関連製品の製造開発と設計経験に基づき、上記の目標について緻密に設計すると共に、慎重に検討した結果、遂に確かな実用性を持つ本考案が案出された。
【０００７】
本考案の目的は、同時に２台の片式筋肉神経電気刺激器に対して充電と収納を行うことが可能な片式筋肉神経電気刺激器の充電装置を提供することである。
【課題を解決するための手段】
【０００８】
上記の目的によれば、本考案の片式筋肉神経電気刺激器の充電装置は、主に、片体状を呈する本体と充電モジュールとを備え、その中、前記本体は、頂面と底面とを有し、また、前記頂面と前記底面は、それぞれ２つの片式筋肉神経電気刺激器を貼り付けるために供され、その中、前記充電モジュールは、前記本体の一端上に設けられ、その外側に外部ポートの給電プラグに接続するための接続ポートが設けられ、前記充電モジュールに２組の電気接続ピンが設けられることにより、前記２つの片式筋肉神経電気刺激器がそれぞれ前記本体の頂面及び底面に貼り付けられる時、前記２つの片式筋肉神経電気刺激器の充電口をそれぞれ前記２組の電気接続ピンに電気接続し、このようにして前記充電モジュールは、給電プラグからの電力を充電電力に変換して、同時に２台の片式筋肉神経電気刺激器に対して充電を行う。
【０００９】
以上の構成において、前記本体は、上本体と下本体とを組み合わせてなると共に、中空片状体になるものである。
【００１０】
以上の構成において、前記接続ポートには差込口が設けられ、かつ前記差込口は前記本体外に露呈突出している。
【００１１】
以上の構成において、前記充電モジュールの接続ポートがＵＳＢコネクタであり、また、前記給電プラグがＵＳＢプラグである。
【００１２】
以上の構成において、前記２組の電気接続ピンの前端がそれぞれ前記本体の頂面及び底面から突出する。
【００１３】
以上の構成において、さらに少なくとも２枚以上の片式筋肉神経電気刺激器を含み、それらの片式筋肉神経電気刺激器は、主従関係を有し、使用者の皮膚上に貼り付けられて使用される時、同期作動することになり、つまり、そのうちの１枚が主要片式筋肉神経電気刺激器である一方、その残りが従属片式筋肉神経電気刺激器であり、また、いわゆる同期作動とは、同じ作動周波数、パルス時間と波形を有することを意味し、かつ各片式筋肉神経電気刺激器は、必要に応じて異なる作動強度に調整することができる。
【００１４】
以上の構成において、それらの主要、従属片式筋肉神経電気刺激器の間は、例えば、無線周波数（Ｒａｄｉｏ  Ｆｒｅｑｕｅｎｃｙ）やブルートゥース（Ｂｌｕｅｔｏｏｔｈ）（登録商標）などのような無線通信により接続される。
【００１５】
以上の構成において、前記本体の外観が蝶の形状である。
【００１６】
本考案の目的、形状、構造、装置の特徴及びその作用効果について、さらなる認識と理解を図るため、実施例を挙げて図面を参照しながら以下に詳述する。
【図面の簡単な説明】
【００１７】
【図１】従来の片式筋肉神経電気刺激器の充電を示す図である。
【図２】本考案の片式筋肉神経電気刺激器の充電装置の外観を示す図である。
【図３】本考案の片式筋肉神経電気刺激器の充電装置の分解斜視図である。
【図４】本考案の片式筋肉神経電気刺激器の充電装置の使用を示す図である。
【図５】本考案の片式筋肉神経電気刺激器の充電装置の使用を示す図である。
【考案を実施するための形態】
【００１８】
本考案は、「片式筋肉神経電気刺激器の充電装置」に関し、図２及び図３を参照して示すと、本考案の片式筋肉神経電気刺激器の充電装置は、主に、片体状の本体１０と、充電モジュール２０とを備える。
【００１９】
その中、前記本体１０は、片体状を呈し、それは頂面１１と、底面１２とを有し、前記頂面１１及び前記底面１２は、それぞれ２つの片式筋肉神経電気刺激器３１，３２を貼り付けるために供される。
【００２０】
その中、前記充電モジュール２０は前記本体１０の一端上に設けられ、前記充電モジュール２０の外側に接続ポート２１が設けられ、前記接続ポート２１には差込口２１１が設けられ、かつ前記差込口２１１は前記本体１０外に露呈突出しており、外部ポートの給電プラグ４０に接続するために供される。なお、前記充電モジュール２０の上下両面にそれぞれ１組の電気接続ピン２２が設けられ、前記２組の電気接続ピン２２の前端がそれぞれ前記本体１０の頂面１１及び底面１２から突出することにより、前記２つの片式筋肉神経電気刺激器３１，３２がそれぞれ前記本体１０の頂面１１及び底面１２に貼り付けられる時、前記２つの片式筋肉神経電気刺激器３１，３２の充電口３１１，３２１は、それぞれ前記２組の電気接続ピン２２との間が電気接続になる（図４及び図５参照）。
【００２１】
このように、再び図４及び図５を参照して示すと、前記充電モジュール２０は、前記２組の電気接続ピン２２と前記２つの片式筋肉神経電気刺激器３１，３２の充電口３１１，３２１との電気接続によって、外部ポートの給電プラグ４０からの電力を充電電力に変換して、同時に２台の片式筋肉神経電気刺激器３１，３２に対して充電を行う。
【００２２】
続いて、図２及び図３を参照して示すと、前記本体１０は、上本体１０１と下本体１０２とを上下に組み合わせてなる中空片状体である。
【００２３】
続いて、図２及び図３を参照して示すと、前記本体１０の外観が蝶の形状である。
【００２４】
続いて、図３及び図５を参照して示すと、前記充電モジュール２０の接続ポート２１がＵＳＢコネクタである。
【００２５】
続いて、図３及び図５を参照して示すと、前記給電プラグ４０がＵＳＢプラグである。
【００２６】
以上の構成において、さらに少なくとも２枚以上の片式筋肉神経電気刺激器３１，３２を含み、それらの片式筋肉神経電気刺激器３１，３２は、主従関係を有し、使用者の皮膚上に貼り付けられて使用される時、同期作動することになる。換言すれば、つまり、そのうちの１枚が主要片式筋肉神経電気刺激器３１である一方、その残りが従属片式筋肉神経電気刺激器３２である。
【００２７】
以上の構成において、いわゆる同期作動とは、同じ作動周波数、パルス時間と波形を有することを意味し、かつ各片式筋肉神経電気刺激器３１，３２は、必要に応じて異なる作動強度に調整することができる。
【００２８】
以上の構成において、それらの主要、従属片式筋肉神経電気刺激器３１，３２の間は、例えば、無線周波数（Ｒａｄｉｏ  Ｆｒｅｑｕｅｎｃｙ）やブルートゥース（Ｂｌｕｅｔｏｏｔｈ）（登録商標）などのような無線通信により接続される。
【００２９】
ただ、以上に開示された実施例は、単に本考案を説明するためのものにすぎず、本考案を制限するものではないため、同等効果を有する構成要素の置き換えは、本考案の範疇に属するものと解釈されるべきである。
【００３０】
以上のように、本考案は前述した目的を確実に達成でき、当該技術を熟知する者に明確に理解され、実用新案登録の出願要件を満たしているため、法に基づき出願する次第である。
【符号の説明】
【００３１】
１０：本体
１１：頂面
１２：底面
２０：充電モジュール
２１：接続ポート
２１１：差込口
２２：電気接続ピン
３１，３２：片式筋肉神経電気刺激器
３１１，３２１：充電口
４０：給電プラグ
１０１：上本体
１０２：下本体
【図１】
0003219138.tif 000003
【図２】
0003219138.tif 000004
【図３】
0003219138.tif 000005
【図４】
0003219138.tif 000006
【図５】
0003219138.tif 000007